(57)【要約】【課題】ページ切替装置における撮像対象のページの切替動作と連動して一連のページを撮像する際の作業性を向上させる。【解決手段】例えば自動ページめくり装置による書籍のページめくり動作を、一連のページを撮影するタブレットにより制御する。自動ページめくり装置が各ページのめくり動作を完了する毎に（ＳＡ１１：ＹＥＳ）、タブレットに各ページの撮影、ページ画像の保存を行わせる（ＳＡ１２）。その間、タブレットには、ユーザーの操作がなくとも連続撮影枚数ｍが予め設定された中断枚数Ｍに達する毎に、自動ページめくり装置のページめくり動作を停止させる（ＳＡ１６：ＹＥＳ）。また、タブレットには、停止したページめくり動作を、ユーザーからの撮影再開指示に応答し（ＳＡ１９：ＹＥＳ）、再開させる（ＳＡ１０）。ユーザーは、撮影中にページめくり動作の停止操作から開放される。【選択図】図５
2017047637.tif 000002
【特許請求の範囲】
【請求項１】
撮像対象となるページを機械的に切り替えるページ切替装置が実行する一連のページ切替動作を、所定の中断タイミングが到来する毎に中断させる中断手段と、
前記中断手段が中断させた前記ページ切替装置における一連のページ切替動作を所定の再開タイミングで再開させる再開手段と
を備えたことを特徴とする動作制御装置。
【請求項２】
前記中断タイミングを決める中断情報を記憶する記憶手段を備え、
前記中断手段は、前記ページ切替装置が実行する一連のページ切替動作を、前記記憶手段に記憶された中断情報によって決まる中断タイミングが到来する毎に中断させる
ことを特徴とする請求項１記載の動作制御装置。
【請求項３】
前記中断タイミングを決める中断情報をユーザーに設定させる設定手段を備え、
前記記憶手段は、前記設定手段がユーザーに設定させた中断情報を記憶する
ことを特徴とする請求項２記載の動作制御装置。
【請求項４】
前記設定手段は、前記中断情報としてページ数、又は前記ページ切替動作の中断間隔のいずれか一方をユーザーに設定させることを特徴とする請求項３記載の動作制御装置。
【請求項５】
前記中断情報を表示する表示手段を備えたことを特徴とする請求項３又は４記載の動作制御装置。
【請求項６】
前記設定手段は、前記中断情報としてページ数をユーザーに設定させ、
前記ユーザーに設定されたページ数に基づいて前記ページ切替動作の中断間隔を算出する算出手段を備え、
前記表示手段は、前記算出手段により算出された中断間隔を表示する
ことを特徴とする請求項５記載の動作制御装置。
【請求項７】
前記再開手段は、前記中断手段が中断させた前記ページ切替装置における一連のページ切替動作を、ユーザーによる再開指示に応答し再開させることを特徴とする請求項１乃至６のいずれか１項に記載の動作制御装置。
【請求項８】
前記ページ切替装置を制御する制御モードとして特定の制御モードを備え、
前記中断手段は、前記特定の制御モードが設定されている場合に、前記ページ切替装置が実行する一連のページ切替動作を、規定の中断タイミングが到来する毎に中断させ、かつ前記再開手段は、前記中断手段が中断させた前記ページ切替装置における一連のページ切替動作を再開させる
ことを特徴とする請求項１乃至７のいずれか１項に記載の動作制御装置。
【請求項９】
ユーザーによる中断指示に応答し、前記所定の中断タイミングの到来とは無関係に、撮像対象となるページを機械的に切り替えるページ切替装置が実行する一連のページ切替動作を中断させる第２の中断手段をさらに備え、
前記再開手段は、前記中断手段、又は前記第２の中断手段が中断させた前記ページ切替装置における一連のページ切替動作を所定の再開タイミングで再開させることを特徴とする請求項１乃至８のいずれか１項に記載の動作制御装置。
【請求項１０】
撮像対象となるページを機械的に切り替えるページ切替装置が実行する一連のページ切替動作を、所定の中断タイミングが到来する毎に中断させる中断ステップと、
前記中断ステップで中断させた前記ページ切替装置における一連のページ切替動作を所定の再開タイミングで再開させる再開ステップと
を含むことを特徴とする動作制御方法。
【請求項１１】
コンピュータに、
撮像対象となるページを機械的に切り替えるページ切替装置が実行する一連のページ切替動作を、所定の中断タイミングが到来する毎に中断させる中断機能、
前記中断機能が中断させた前記ページ切替装置における一連のページ切替動作を所定の再開タイミングで再開させる再開機能
を実現させるためのプログラム。
【発明の詳細な説明】
【技術分野】
【０００１】
本発明は、撮像対象となるページを機械的に切り替えるページ切替装置の動作を制御する技術に関する。
【背景技術】
【０００２】
従来、撮像対象となるページを機械的に切り替えるページ切替装置として、例えば特許文献１，２には、回動自在なアームの先端部によって見開き状態の書籍の各ページをめくり元位置（見開きページの一方側）からめくり先位置（見開きページの他方側）へめくる、めくり機構を備えた自動ページめくり装置が記載されている。係る自動ページめくり装置が各ページをめくる間に、そのめくり動作と連動して、めくり元位置にあるページを自動的に撮影すれば、一連のページ画像を効率よく取得することができる。
【先行技術文献】
【特許文献】
【０００３】
【特許文献１】特開２０１４−６１６１９号公報
【特許文献２】特開２０１５−６７５４号公報
【発明の概要】
【発明が解決しようとする課題】
【０００４】
上記のようにページを機械的にめくる（撮像対象のページを順に切り替える）場合、ページのめくり数が増えるに従い、先にめくったページがそのままの状態では安定しにくくなる。係ることから、各ページの撮影中には、ある程度のページ数をめくる毎に、めくり先位置側の複数ページを手で押さえるか、又はクリップ等の保持具を用いて安定させことが不可欠となる。したがって、一連のページを撮影している間には、ユーザーがめくり先位置側のページ状態を確認しながら、頃合いを見てページのめくり動作をいちいち停止させなければならず、撮影作業が甚だ煩雑であるという問題があった。
【０００５】
本発明は、かかる従来の課題に鑑みてなされたものであり、ページ切替装置における撮像対象のページの切替動作と連動して一連のページを撮像する際の作業性を向上させることを目的とする。
【課題を解決するための手段】
【０００６】
上記の目的を達成するため、本発明に係る動作制御装置は、撮像対象となるページを機械的に切り替えるページ切替装置が実行する一連のページ切替動作を、所定の中断タイミングが到来する毎に中断させる中断手段と、前記中断手段が中断させた前記ページ切替装置における一連のページ切替動作を所定の再開タイミングで再開させる再開手段とを備えたことを特徴とする。
【発明の効果】
【０００７】
本発明によれば、ページ切替装置における撮像対象のページの切替動作と連動して一連のページを撮像する際の作業性を向上させることができる。
【図面の簡単な説明】
【０００８】
【図１】本発明の一実施の形態に係る書画カメラシステムの概略構成を示す斜視図である。
【図２】書画カメラシステムの電気的構成の要部を示すブロック図である。
【図３】書籍ファイルの作成作業の内容を示す図である。
【図４】タブレットの動作を説明するためのフローチャートである。
【図５】図４に続くフローチャートである。
【図６】自動ページめくり装置の動作を示すフローチャートである。
【図７】自動撮影時の操作画面を示す図である。
【発明を実施するための形態】
【０００９】
以下、本発明の実施形態を、図面を参照して説明する。
【００１０】
図１は、本発明の一実施の形態に係る書画カメラシステム１の概略構成を示す斜視図である。この書画カメラシステム１は、タブレット２と自動ページめくり装置３とから構成される。
【００１１】
自動ページめくり装置３は、本発明に係るページ切替装置として例示するものであり、開かれた書籍等Ｂを保持する保持台６と、保持台６上の書籍等ＢのページＰのめくり元位置でページＰを保持し、ページＰのめくり先位置でページＰに対する保持を解除するめくり機構３０と、めくり元位置にあるページＰの上方でめくり先位置にあるページＰに向けて風を送り、ページＰの戻りを防止するための送風部５とを備えている。
【００１２】
タブレット２は、カメラ（後述する撮像部）を備えた携帯可能な情報処理端末であって、スタンド２０を用いて書籍等（例えば本や雑誌）Ｂの上方に設置されることにより、書籍等ＢのページＰのめくり元を撮影する。なお、タブレット２と自動ページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１３】
そして、書画カメラシステム１においては、書籍等（例えば本や雑誌）ＢのページＰを自動ページめくり装置３を用いて１枚ずつ分離してめくるとともに、タブレット２によって各ページを撮影して電子データ化し、複数ページ分の電子データを決められたフォーマットのファイル（以下、書籍ファイルという）として記録することができる。
【００１４】
図２は、タブレット２と自動ページめくり装置３との電気的構成の要部を示すブロック図である。まず、自動ページめくり装置３の電気的構成について説明する。
【００１５】
自動ページめくり装置３は、主として制御部３１と、記憶部３２と、操作部３３と、モータ駆動回路部３４と、通信部３５と、電源部３６とから構成される。記憶部３２には、各種プログラムが記録されたＲＯＭ（Read Only Memory）と、当該プログラムが展開されるＲＡＭ（Random Access memory）とが含まれる。
【００１６】
操作部３３には、ページめくり処理を開始させる開始スイッチと、ページめくり処理を停止させる停止スイッチ等の各種スイッチが含まれる。モータ駆動回路部３４には、めくり機構３０を駆動するモータや、送風部５に設けられたファンを駆動するモータ、及びそれらのモータを駆動するモータドライバ等が含まれる。
【００１７】
制御部３１は、開始スイッチが操作されてから停止スイッチが操作されるまで、タブレット２と協働してモータ駆動回路部３４を制御することによりめくり機構３０を駆動し、書籍等ＢのページＰを１枚ずつ分離してめくる。通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３６は、各ブロック３１〜３５に電力を供給する。
【００１８】
そして、後述するように自動ページめくり装置３は、タブレット２と通信で接続されている間においては、タブレット２からページめくりの開始を指示するめくり開始信号を受信することによって、書籍等ＢのページＰを１枚ずつ分離してめくる一連のページめくり動作を繰り返す。
【００１９】
次に、タブレット２の電気的構成について説明する。タブレット２は、主として撮像部２１と、操作部２２と、表示部２３と、通信部２４と、制御部２５と、記憶部２６とから構成される。
【００２０】
撮像部２１は、書籍等Ｂ等のページ画像を撮影可能なカメラであり、レンズを含む光学系の他に、ＣＣＤ（Charge Coupled Device）やＣＭＯＳ（Complementary Metal Oxide Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。なお、レンズ及び撮像素子は、図１には表れないタブレット２の裏面側に設けられている。
【００２１】
表示部２３は、ＬＣＤ（Liquid Crystal Display）や有機ＥＬ（Electro Luminescence）等の表示モニタを有し、表示モニタの画面上に撮像部２１により撮像されたページ画像や各種情報等を表示する。
【００２２】
操作部２２は、図示しない電源キー等の最小限の操作スイッチと、表示部２３が有する表示モニタの表面に一体的に設けられタブレット２の表面を構成するタッチパネルを含み、ユーザーによるタブレット２の操作情報を制御部２５へ供給する。
【００２３】
通信部２４は、自動ページめくり装置３との通信インタフェースを司り、Ｂｌｕｅｔｏｏｔｈ（登録商標）やＷｉ−Ｆｉ（登録商標）等の通信方式によって自動ページめくり装置３との接続を行う。
【００２４】
制御部２５は、ＣＰＵ（Central Processing Unit）、及びその周辺回路等や、ＲＡＭ（Random Access memory）等を含み、タブレット２の各部を制御する。
【００２５】
記憶部２６には、例えば、半導体メモリが実装され、各種のアプリケーションプログラム、制御部２５がプログラム実行の過程で生成する各種データ等が保存されている。上記アプリケーションプログラムには、自動ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００２６】
また、記憶部２６には、書籍ファイルを作成する間には、書籍等の各ページを撮影した撮影画像、及び書籍の表紙、見返し（裏表紙側）、裏表紙、見返し（表紙側）をそれぞれ撮影した撮影画像からなる一連のページ画像が記憶される。なお、以下の説明においては、電子データ化の対象となる書籍等を便宜上、単に書籍と呼ぶものとする。
【００２７】
さらに、記憶部２６には、書籍ファイルや、一連のページ画像を書籍毎に管理するための複数の管理テーブル２６０を記憶する領域が確保されている。特に管理テーブル２６０には、書籍ファイルとして統合される以前の一連のページ画像について、各ページ画像と書籍の各ページとの対応関係を示す情報や、書籍のタイトルやページ数や書籍毎のページ画像のデータ量等の基本情報が記憶される。
【００２８】
そして、書画カメラシステム１を用いて書籍を電子データ化し書籍ファイルとして保存する際には、タブレット２を図１に示したように自動ページめくり装置３の上方に設置した状態で、タブレット２により自動ページめくり装置３のページめくり動作を無線で制御しながら、書籍の各ページを繰り返し撮影してページ画像を取得する。また、書籍の表紙等を撮影し、その撮影画像を取得する。
【００２９】
その後、タブレット２において、取得した一連のページ画像（表紙等の撮影画像を含む）に対して各種の編集作業を行い、一連のページ画像を単一のファイルに統合することにより書籍ファイルを作成する。具体的に説明すると以下の通りである。
【００３０】
図３は、任意の書籍のファイル作成作業の詳細を示した図であり、ファイル作成作業は、大別すると撮影、編集、ジェネレイト、転送の４つの作業工程に区分することができる。
【００３１】
撮影工程には６段階の撮影作業が含まれる。すなわち表紙、見返し（表紙側）、左ページ、右ページ、裏表紙、見返し（裏表紙側）の各々の撮影作業である。左ページ、及び右ページの撮影作業は、自動ページめくり装置３に一連のページめくり動作を行わせ、その間に左ページ又は右ページのみを連続して自動撮影する作業である。自動撮影時には一括撮影と分割撮影とが可能である。一括撮影を行った場合には、左ページ又は右ページの一連のページ画像が、単一の画像群として互いに関連付けて管理される。また、分割撮影を行った場合には、左ページ又は右ページの一連のページ画像が、複数の画像群として互いに関連付けて管理される。
【００３２】
編集工程には、ページ編集、トリミング、色補正の３段階の作業が含まれる。ページ編集は、任意のページ画像の差し替えや、個別に撮影したページの挿入を行う作業である。トリミングは、一連のページ画像の各々から所望の領域を切り出すトリミングを個別に又は一括して行う作業である。色補正は、一連のページ画像の各々に対する明るさやコントラスト調整を含む色補正を個別に又は一括して行う作業である。ジェネレイト工程には、書籍ファイルのデータサイズや品質（画質）等を決める設定作業と、一連のページ画像を単一のファイルに統合するファイル生成作業の２段階の作業が含まれる。
【００３３】
次に、図４乃至図７を参照し、タブレット２と自動ページめくり装置３とが無線で接続されている状態で、タブレット２を用いて左ページ又は右ページのみを連続して自動撮影するときの両者の動作について説明する。
【００３４】
タブレット２には、左ページ又は右ページのみを連続して自動撮影する際に使用可能な自動撮影モードとして、単に自動ページめくり装置３のページめくり動作に同期して一連のページを一括撮影する一括撮影モードと、一連のページを分割撮影する分割撮影モードとが設けられている。そして、タブレット２に分割撮影モードが設定されたときには、書籍管理プログラムに従い制御部２５が図４及び図５に示した処理を実行する。
【００３５】
図４に示したように制御部２５は、分割撮影モードが設定されると、まず、図７に示した操作画面Ｇを表示部２３の表示画面に表示する（ステップＳＡ１）。操作画面Ｇには、撮影ページ数Ｎを入力するための第１の入力ボックス１０１と、中断ページ数Ｍを入力する第２の入力ボックス１０２、撮影開始ボタン２０１、撮影中断ボタン２０２、撮影中止ボタン２０３、撮影完了ページ数ｎを表示する表示ボックス３０１が設けられている。
【００３６】
撮影ページ数Ｎは、ユーザーがこれから撮影しようとする左ページ又は右ページの総ページ数であり、制御部２５は、第１の入力ボックス１０１に撮影ページ数Ｎが入力されると（ステップＳＡ２：ＹＥＳ）、それを一時記憶する（ステップＳＡ３）。
【００３７】
中断ページ数Ｍは、一連の撮影を中断するページ数であり、自動ページめくり装置３におけるページめくり動作の回数である。なお、ステップＳＡ１で操作画面Ｇを表示する際、制御部２５は、第２の入力ボックス１０２に既定値、または分割撮影モードが前回使用されたとき既定値から変更された値、及びその値に応じた中断間隔Ｔを操作画面Ｇに表示する。
【００３８】
制御部２５は、第２の入力ボックス１０２に新たな中断ページ数Ｍが入力されると（ステップＳＡ４：ＹＥＳ）、それに応じた中断間隔（時間）を新たに算出し、その算出結果Ｔ（図７では「４分」）を操作画面Ｇに表示するとともに、新たな中断ページ数Ｍと中断間隔Ｔとを記憶部２６に記憶する（ステップＳＡ５）。なお、中断間隔Ｔは、自動ページめくり装置３における１ページのめくり動作に要する時間、より具体的には最適なめくり動作を行うために確保されている時間に中断ページ数Ｍを乗じることにより算出される。
【００３９】
操作画面Ｇを表示している間、制御部２５は、ユーザーから撮影開始ボタン２０１のタッチ操作による撮影開始指示がなく（ステップＳＡ６：ＮＯ）、また、撮影中止ボタン２０３のタッチ操作による撮影中止指示もなければ（ステップＳＡ７：ＮＯ）、ステップＳＡ２〜ステップＳＡ５の処理を繰り返す。また、制御部２５は、撮影中止指示があれば（ステップＳＡ７：ＹＥＳ）、その時点で直ちに分割撮影モードによる処理を終了する。
【００４０】
一方、例えばユーザーが撮影ページ数Ｎ及び中断ページ数Ｍを入力（設定）した後、タブレット２をスタンド２０においた状態で（図１参照）、撮影開始ボタン２０１をタッチ操作すると（ステップＳＡ６：ＹＥＳ）、制御部２５は以下の処理を行う。
【００４１】
まず、制御部２５は、このタイミングで撮像部２１により１回目の撮影を行い、記憶部２６の作業領域に撮影画像を保存する（ステップＳＡ８）。しかる後、制御部２５は、撮影完了ページ数ｎに「１」を設定する（ステップＳＡ９）。なお、撮影完了ページ数ｎは直ちに操作画面Ｇに反映（表示）させる。
【００４２】
引き続き、制御部２５は、図５に示したように自動ページめくり装置３に対してページめくりの開始を指示するめくり開始信号を送信する（ステップＳＡ１０）。
【００４３】
一方、自動ページめくり装置３は、図６に示すように、制御部３１が通信部３５を介してタブレット２からめくり開始信号を受信すると（ステップＳＢ１：ＹＥＳ）、モータ駆動回路部３４によりモータを駆動し、アームをめくり元位置へ回転させる（ステップＳＢ２）。引き続き、制御部３１がアームを逆方向へ駆動してめくり先位置へ回転させることにより、本ＢのページＰを１ページ分だけめくるページめくり動作を行う（ステップＳＢ３）。なお、自動ページめくり装置３においては電源投入とともに送風部５が動作しており、めくられたページＰは風圧で戻りを防止される。
【００４４】
次に、制御部３１は、ページめくり動作を完了したタイミングで、通信部３５を介してページめくりが完了した旨を知らせるめくり完了信号をタブレット２に送信する（ステップＳＢ４）。以後、制御部３１は、アームをめくり先位置へ回転させた状態のまま、タブレット２から次のめくり開始信号を受信するまで待機し（ステップＳＢ１：ＮＯ）、めくり開始信号を受信する毎に（ステップＳＢ１：ＹＥＳ）、ステップＳＢ２以降の動作を繰り返し行う。
【００４５】
これに対して、タブレット２においては、自動ページめくり装置３にページめくり動作を開始させた後、制御部２５が、めくり完了信号の受信待ちを行う（ステップＳＡ１１）。
【００４６】
ここで自動ページめくり装置３からめくり完了信号を受信すると（ステップＳＡ１１：ＹＥＳ）、制御部２５は、そのタイミングで２回目以降の撮影を行って、記憶部２６の作業領域に撮影画像を保存した後（ステップＳＡ１２）、撮影完了ページ数ｎと連続めくり回数ｍをインクリメントする（ステップＳＡ１３）。なお、その際にも操作画面Ｇの撮影完了ページ数ｎを更新する。
【００４７】
以後、制御部２５は、撮影完了ページ数ｎが、設定されている撮影ページ数Ｎに達するまでは（ステップＳＡ１４：ＮＯ）、ユーザーによる撮影中断指示（撮影中断ボタン２０２のタッチ操作）の有無を確認し、撮影中断指示がなければ（ステップＳＡ１５：ＮＯ）、さらに連続めくり回数ｍが、ユーザーに設定された中断ページ数Ｍに達しているか否かを確認する（ステップＳＢ１６）。
【００４８】
連続めくり回数ｍが中断ページ数Ｍに達していなければ（ステップＳＢ１６：ＮＯ）、ステップＳＡ１０の処理に戻り、それ以降の処理を繰り返す。すなわち自動ページめくり装置３に次のページ送り動作を行わせるとともに、めくり完了信号の受信をトリガとした撮影、及び撮影完了ページ数ｎと連続めくり回数ｍのインクリメントを繰り返し実行する。
【００４９】
一方、その間に、連続めくり回数ｍが中断ページ数Ｍに達すると（ステップＳＡ１６：ＹＥＳ）、制御部２５は、連続めくり回数ｍを「０」に初期化した後（ステップＳＡ１７）、それまでの間の連続撮影で保存した一群のページ画像（撮影画像）を互いに関連付ける（ステップＳＡ１８）。具体的には管理テーブル２６０に関連付け情報を記述し、後の編集作業において一群の画像として扱い可能とする。
【００５０】
しかる後、制御部２５は、撮影開始ボタン２０１のタッチ操作によるユーザーからの撮影再開指示があるまで待機し（ステップＳＡ１９：ＮＯ）、撮影再開指示があったタイミングで（ステップＳＡ１９：ＹＥＳ）、ステップＳＡ１０の処理に戻る。これにより、連続めくり回数ｍが中断ページ数Ｍに達することにより中断した、自動ページめくり装置３の連続したページ送り動作、及びそれと連動した一連のページの撮影動作を再開する。
【００５１】
以上の処理によって自動ページめくり装置３における連続したページめくり動作が、継続してめくられたページのめくり数がユーザーに設定された中断ページ数Ｍに達する毎に停止される。また、それと連動する左ページ又は右ページの各ページを撮影対象とした一連の撮影が中断され、撮影されたページ画像が中断ページ数毎に一群の画像として扱い可能な状態で保存される。
【００５２】
一方、制御部２５は、ステップＳＡ１０〜ステップＳＡ１６の処理を繰り返す間、つまり自動ページめくり装置３に継続的なページめくり動作を繰り返し行わせながら、各ページを連続撮影している間に、任意の時点でユーザーから撮影中断指示があった場合には（ステップＳＡ１５：ＹＥＳ）、連続したページめくり動作によるページのめくり数が中断ページ数Ｍに達していなくとも、そのタイミングで直ちにステップＳＡ１７の処理に移行する。
【００５３】
すなわち、制御部２５は、連続めくり回数ｍを「０」に初期化した、それまでの間の連続撮影で保存した一群のページ画像の関連付けを行った後（ステップＳＡ１８）、撮影再開指示があったタイミングで（ステップＳＡ１９：ＹＥＳ）、ステップＳＡ１０の処理に戻り、それ以降の処理を繰り返す。そして、その間に撮影完了ページ数ｎが撮影ページ数Ｎに達すると（ステップＳＡ１４：ＹＥＳ）、制御部２５は、その時点で分割撮影モードによる処理を終了する。
【００５４】
以上のように分割撮影モードによる自動撮影時には、連続めくり回数ｍがユーザーに設定された中断ページ数Ｍに達する毎に自動ページめくり装置３による連続的なページめくり動作を自動的に停止する。そのため、ユーザーにおいては、中断ページ数Ｍとして、めくり先位置のページが風圧で戻りを防止できる限度を超えたことが予想されるページめくり数（又はそれ以下のページめくり数）を設定することにより一連のページ撮影を楽に行うことができる。
【００５５】
すなわち一連のページ撮影を行っている間には、めくり先位置側のページ状態を確認しながら、頃合いを見てページのめくり動作をいちいち停止させるといった作業が不要である。したがって、ユーザーはページめくり動作が停止した時点で、例えば図１に示したように、めくり先位置側の複数ページをクリップＣで保持する保持作業と、ページめくり動作の再開指示を行うだけで自動撮影による撮影作業を継続することができる。よって、一連のページを撮影する際の作業性を向上させることができる。
【００５６】
また、ユーザーが中断ページ数Ｍを設定すると、それに応じた一連のページ撮影の中断間隔Ｔ、つまりページめくり動作を停止する時間間隔が表示されるため、ユーザーはどの程度の頻度で前述した保持作業と再開指示とを行えばよいかを事前に知ることができる。よって、一連のページを撮影する際の作業性に加え、利便性を向上させることができる。
【００５７】
なお、自動ページめくり装置３における各ページのめくり動作に要する時間は略一定である。したがって、ユーザーには、中断ページ数Ｍではなく一連のページ撮影の中断間隔Ｔを設定させるようにしてもよい。その場合には、ページめくり動作の停止タイミングを、中断間隔Ｔから中断ページ数Ｍを算出し、本実施形態と同様に連続めくり回数ｍをカウントすることによって特定してもよいし、めくり開始信号を送信してからの経過時間を直接計測することによって特定してもよい。
【００５８】
さらに、ユーザーには、中断ページ数Ｍや中断間隔Ｔとは異なる任意の情報を、自動ページめくり装置３のページめくり動作を停止するタイミングを決めるための中断情報として設定させてもよい。また、中断ページ数Ｍ等は、ユーザーに設定させることなく予め決められたものとしてもよい。
【００５９】
ここで、既にめくられたページがめくり先位置で安定しなくなる時期は、書籍の厚みや、各ページの紙の厚み等の影響によって一律ではない。したがって、本実施形態のように中断ページ数Ｍ等をユーザーが設定可能な構成とすれば、常に最適なタイミングで自動的にめくり動作を停止させることができる。すなわちページめくり動作を停止させる時間間隔を徒に短くせずとも、自動ページめくり装置３に失敗のない確実なページのめくり動作を行わせることができる。
【００６０】
したがって、中断ページ数Ｍ等をユーザーが設定可能な構成とすることにより、ユーザーが、めくり先位置側の複数ページを保持する保持作業とページめくり動作の再開指示を行う回数を極力減らすことができる。これによっても一連のページを撮影する際の作業性を向上させることができる。
【００６１】
また、自動的に停止しためくり動作が、ユーザーが撮影開始を指示したタイミングで再開されることから、ユーザーにおいては一連のページ撮影を都合のよいタイミングで再開させることできる。そのため、一連のページ撮影を行っている間であっても、ユーザーはその場を離れることができる。これによっても、一連のページを撮影する際の作業性に加え、利便性を向上させることができる。
【００６２】
なお、自動的に停止しためくり動作は、ユーザーの撮影開始指示ではなく、めくり動作の停止時点からの経過時間が予め決められた待機時間となったタイミングで自動的に再開するようにしてもよい。また、その場合においても、ユーザーの撮影開始指示を受け付けるものとし、めくり動作の停止時点からの経過時間が待機時間に達する以前にユーザーから撮影開始指示があった場合には、その時点でめくり動作を再開させるようにしてもよい。
【００６３】
さらに、自動ページめくり装置３のページめくり動作を、連続めくり回数ｍが中断ページ数Ｍに達していなくとも、ユーザーによる中断指示に応答し任意の時点で停止させることから、連続めくり回数ｍが中断ページ数Ｍに達する以前に予想に反してめくり先位置側のページ状態が悪化するような場合であっても、それに対応することができる。これによっても、一連のページを撮影する際の作業性に加え、利便性を向上させることができる。
【００６４】
ここで、本実施形態ではタブレット２において書籍管理プログラムを実行した場合について説明したが、これに限らず、一般的なパーソナルコンピュータ等の他の情報機器においても前述した書籍管理プログラムと同様の処理を可能とするプログラムを供給することにより本発明に係る機能を実現することができる。さらに、プログラムの供給方法は任意であり、例えばインターネット上のＷｅｂページからプログラムをパーソナルコンピュータ等に供給してもよい。
【００６５】
また、ここでは見開き状態の書籍Ｂの各ページＰをめくり元位置からめくり先位置へ自動的にめくることによって撮影対象を切り替える自動ページめくり装置３のページめくり動作を制御する場合について説明したが、本発明は、撮像対象となるページを機械的に切り替えるものであれば、任意のページ切替装置にも適用することができる。
【００６６】
任意のページ切替装置としては、例えば複数ページの書面原稿を機械的に送ることにより撮影対象を連続的に切り替えながら、原稿表面を撮像するオートフィーダ付きのスキャナがある。
【００６７】
その場合、オートフィーダによる書面原稿の送り動作を、送り枚数が所定の枚数に達する毎に送り動作を停止させれば、つまり１回の送り動作を所定の枚数に制限可能とすれば、例えば撮像した画像データ（スキャンデータ）を順に連結して単一のファイルを生成する場合には、オートフィーダにセットする原稿枚数を調整せずとも、多量の書面原稿を一定のページ数分毎にファイル化することができる。したがって、一連のページを撮像する際の作業性を向上させることができる。
【００６８】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
［請求項１］
撮像対象となるページを機械的に切り替えるページ切替装置が実行する一連のページ切替動作を、所定の中断タイミングが到来する毎に中断させる中断手段と、
前記中断手段が中断させた前記ページ切替装置における一連のページ切替動作を所定の再開タイミングで再開させる再開手段と
を備えたことを特徴とする動作制御装置。
［請求項２］
前記中断タイミングを決める中断情報を記憶する記憶手段を備え、
前記中断手段は、前記ページ切替装置が実行する一連のページ切替動作を、前記記憶手段に記憶された中断情報によって決まる中断タイミングが到来する毎に中断させる
ことを特徴とする請求項１記載の動作制御装置。
［請求項３］
前記中断タイミングを決める中断情報をユーザーに設定させる設定手段を備え、
前記記憶手段は、前記設定手段がユーザーに設定させた中断情報を記憶する
ことを特徴とする請求項２記載の動作制御装置。
［請求項４］
前記設定手段は、前記中断情報としてページ数、又は前記ページ切替動作の中断間隔のいずれか一方をユーザーに設定させることを特徴とする請求項３記載の動作制御装置。
［請求項５］
前記中断情報を表示する表示手段を備えたことを特徴とする請求項３又は４記載の動作制御装置。
［請求項６］
前記設定手段は、前記中断情報としてページ数をユーザーに設定させ、
前記ユーザーに設定されたページ数に基づいて前記ページ切替動作の中断間隔を算出する算出手段を備え、
前記表示手段は、前記算出手段により算出された中断間隔を表示する
ことを特徴とする請求項５記載の動作制御装置。
［請求項７］
前記再開手段は、前記中断手段が中断させた前記ページ切替装置における一連のページ切替動作を、ユーザーによる再開指示に応答し再開させることを特徴とする請求項１乃至６のいずれか１項に記載の動作制御装置。
［請求項８］
前記ページ切替装置を制御する制御モードとして特定の制御モードを備え、
前記中断手段は、前記特定の制御モードが設定されている場合に、前記ページ切替装置が実行する一連のページ切替動作を、規定の中断タイミングが到来する毎に中断させ、かつ前記再開手段は、前記中断手段が中断させた前記ページ切替装置における一連のページ切替動作を再開させる
ことを特徴とする請求項１乃至７のいずれか１項に記載の動作制御装置。
［請求項９］
ユーザーによる中断指示に応答し、前記所定の中断タイミングの到来とは無関係に、撮像対象となるページを機械的に切り替えるページ切替装置が実行する一連のページ切替動作を中断させる第２の中断手段をさらに備え、
前記再開手段は、前記中断手段、又は前記第２の中断手段が中断させた前記ページ切替装置における一連のページ切替動作を所定の再開タイミングで再開させることを特徴とする請求項１乃至８のいずれか１項に記載の動作制御装置。
［請求項１０］
撮像対象となるページを機械的に切り替えるページ切替装置が実行する一連のページ切替動作を、所定の中断タイミングが到来する毎に中断させる中断ステップと、
前記中断ステップで中断させた前記ページ切替装置における一連のページ切替動作を所定の再開タイミングで再開させる再開ステップと
を含むことを特徴とする動作制御方法。
［請求項１１］
コンピュータに、
撮像対象となるページを機械的に切り替えるページ切替装置が実行する一連のページ切替動作を、所定の中断タイミングが到来する毎に中断させる中断機能、
前記中断機能が中断させた前記ページ切替装置における一連のページ切替動作を所定の再開タイミングで再開させる再開機能
を実現させるためのプログラム。
【符号の説明】
【００６９】
１    書画カメラシステム
２    タブレット
３    自動ページめくり装置
２１    撮像部
２３    表示部
２５    制御部
２６    記憶部
３０    めくり機構
１０１    第１の入力ボックス
１０２    第２の入力ボックス
２０１    撮影開始ボタン
２０２    撮影中断ボタン
２０３    撮影中止ボタン
３０１    表示ボックス
Ｂ    書籍
Ｃ    クリップ
Ｇ    操作画面
Ｍ    中断ページ数
Ｎ    撮影ページ数
Ｔ    中断間隔
ｎ    撮影完了ページ数
【図１】
2017047637.tif 000003
【図２】
2017047637.tif 000004
【図３】
2017047637.tif 000005
【図４】
2017047637.tif 000006
【図５】
2017047637.tif 000007
【図６】
2017047637.tif 000008
【図７】
2017047637.tif 000009